(57)【要約】第１の構成と、金型空洞を形成する金型とを有し、射出サイクルに従って制御される射出成形機を制御するためのシステムおよびアプローチは、第２の構成を有する射出成形機の射出サイクルの一部のパターンを取得することと、溶融材料を金型空洞に射出するために第１の構成を有する射出成形機を動作させることとを含む。第１の構成を有する射出成形機を動作させる間、取得したパターンは、射出サイクルの一部を制御するために使用される。
2021527584.tif 000002
【特許請求の範囲】
【請求項１】
第１の構成および金型空洞を形成する金型を有する射出成形機を制御するための方法であって、前記射出成形機は、射出サイクルに従って制御され、前記方法は、
第２の構成を有する射出成形機の射出サイクルの少なくとも一部のパターンを取得することと、
溶融材料を前記金型空洞に射出するために前記第１の構成を有する前記射出成形機を動作させることと、
前記第１の構成を有する前記射出成形機を動作させる間、前記取得したパターンを使用して前記射出サイクルの一部を制御することと、を含む、方法。
【請求項２】
パターンを取得することは、前記第２の構成を有する前記射出成形機の前記射出サイクルの空洞圧力設定値曲線を取得することを含む、請求項１に記載の方法。
【請求項３】
前記第１の構成を有する前記射出成形機を動作させることは、
前記金型サイクル中に前記金型空洞の空洞圧力値を測定することと、
公称空洞圧力値を測定すると、前記取得したパターンに少なくとも部分的に依存する前記射出サイクルのパターン認識部分を開始することとを含み、前記測定した空洞圧力が前記射出サイクルについて前記取得したパターンと一致するように、前記溶融材料に加えられる駆動力が調整される、請求項１または２に記載の方法。
【請求項４】
前記第１の構成を有する前記射出成形機は、第１の数の金型空洞を含み、前記第２の構成を有する前記射出成形機は、前記第１の数の金型空洞とは異なる第２の数の金型空洞を含む、請求項１〜３のいずれか一項に記載の方法。
【請求項５】
前記第１の構成を有する前記射出成形機は、第１の射出成形機を含み、前記第２の構成を有する前記射出成形機は、第２の射出成形機を含む、請求項１〜４のいずれか一項に記載の方法。
【請求項６】
前記射出サイクルは、第１の部分および第２の部分を含み、前記射出サイクルの前記第１の部分は、溶融圧力プロファイルによって少なくとも部分的に制御され、前記射出サイクルの前記第２の部分は、前記取得したパターンによって少なくとも部分的に制御される、請求項１〜５のいずれか一項に記載の方法。
【請求項７】
前記第２の構成を有する前記射出成形機は、パイロット工具を備える、請求項１〜６のいずれか一項に記載の方法。
【請求項８】
前記取得したパターンは、特定の金型に最適な圧力トレースを示す、請求項１〜７のいずれか一項に記載の方法。
【請求項９】
前記溶融材料に加えられる前記駆動力は、圧力、サーボモータ、またはフローコントロールバルブのうちの少なくとも１つによって加えられる、請求項１〜８のいずれか一項に記載の方法。
【請求項１０】
射出成形機であって、
金型空洞を形成する金型を有する第１の射出ユニットであって、溶融プラスチック材料を受け入れて前記金型空洞に射出して成形部品を形成するように適合された前記第１の射出ユニットと、
第１の部分および第２の部分を有する射出サイクルに従って前記射出成形機の動作を制御するように適合されたコントローラと、
前記射出成形機および前記コントローラに結合された第１のセンサと、
前記射出成形機および前記コントローラに結合された第２のセンサであって、前記第１のセンサとは異なる特性を測定するように適合された第２のセンサと、を備え、
前記射出サイクルの前記第１の部分において、前記コントローラは、前記第１のセンサから取得した測定値に少なくとも部分的に基づいて前記射出ユニットを制御し、イベントが発生すると、前記射出サイクルの前記第２の部分が開始することによって、前記コントローラはさらに、前記第２のセンサから取得した測定値に少なくとも部分的に基づいて前記射出ユニットを制御し、前記第２の部分は、第２の射出ユニットから導出された以前に取得したパターンに従って動作する、射出成形機。
【請求項１１】
前記以前に取得したパターンは、前記第２の射出ユニットの射出サイクルの空洞圧力設定値曲線を含む、請求項１０に記載の射出成形機。
【請求項１２】
前記第２の射出ユニットは、前記第１の射出ユニットとは異なる構成を有する、請求項１０または１１に記載の射出成形機。
【請求項１３】
前記第２の射出ユニットは、前記第１の射出ユニットとは異なる数の金型空洞を有する、請求項１２に記載の射出成形機。
【請求項１４】
前記第２の射出ユニットは、パイロット工具を備える、請求項１２に記載の射出成形機。
【請求項１５】
前記第１のセンサは、前記射出ユニットの溶融圧力値を測定するように適合されている、請求項１０〜１４のいずれか一項に記載の射出成形機。
【請求項１６】
前記第２のセンサは、前記射出ユニットの空洞圧力値を測定するように適合されている、請求項１０〜１５のいずれか一項に記載の射出成形機。
【請求項１７】
前記イベントは、測定された公称空洞圧力値を含む、請求項１０〜１６のいずれか一項に記載の射出成形機。
【請求項１８】
前記公称空洞圧力値は、約５０ｐｓｉである、請求項１７に記載の射出成形機。
【請求項１９】
前記コントローラは、前記第２のセンサから取得した測定値および前記第２の射出ユニットを介して捕捉したパターンに少なくとも部分的に基づいて、前記第１の射出ユニットを制御する、請求項１０〜１８のいずれか一項に記載の射出成形機。
【請求項２０】
前記パターンは、理想的な空洞圧力設定値曲線を含む、請求項１９に記載の射出成形機。
【発明の詳細な説明】
【技術分野】
【０００１】
関連出願の相互参照
この出願は、２０１８年６月２２日に出願された米国仮出願第ＵＳ６２／６８８，４９１号の利益を主張し、その全体が参照により本明細書に明示的に組み込まれる。
【０００２】
本開示は、一般に、射出成形、より具体的には、特定の圧力プロファイルを使用して射出成形機を制御するためのアプローチに関する。
【背景技術】
【０００３】
射出成形は、熱可塑性材料で構成された部品の大量生産のために一般的に使用される技術である。反復射出成形プロセス中に、熱可塑性樹脂は、通常は小さなペレットまたはビーズの形態で、熱と圧力の下でペレットを溶融する射出成形機に導入される。射出サイクルでは、溶融材料は、特定の所望の空洞形状を有する金型空洞に強制的に射出される。射出されたプラスチックは、金型空洞内に圧力下で保持され、その後冷却されて、金型の空洞形状に非常に似た形状を有する固化部品として除去される。単一の金型は、溶融樹脂の流れを空洞に向けるゲートによって流路に接続することができる任意の数の個別の空洞を有することができる。典型的な射出成形手順には、一般に以下の４つの基本的な動作が含まれる。（１）射出成形機でプラスチックを加熱して、プラスチックが圧力下で流れることを可能にすること、（２）溶融したプラスチックを閉じた２つの金型の半分の間に画定された１つ以上の金型空洞に射出すること、（３）圧力下でプラスチックを１つ以上の空洞内で冷却および硬化させること、および（４）金型の半分を開き、金型から部品を取り出すこと。
【０００４】
これらのシステムでは、制御システムが、射出成形機のさまざまな構成要素の一連の制御値を定義する射出サイクルに従って射出成形プロセスを制御する。例えば、射出サイクルは、固定および／または可変の溶融圧力プロファイルによって駆動することができ、それにより、コントローラは、材料に加えられる駆動力を決定するための入力として、ノズルで感知された圧力を使用する。射出サイクルは、固定または可変のねじ速度プロファイルによって制御することもでき、それにより、制御部は、材料に適用される駆動速度を決定するための入力として射出ねじの速度を感知する。
【０００５】
成形条件の変化は、溶融プラスチック材料の特性に大きな影響を与える可能性がある。一例として、樹脂バッチ間の材料仕様の違いおよび環境条件の変化（周囲温度または湿度の変化など）により、溶融プラスチック材料の粘度が上昇または低下する可能性がある。溶融プラスチック材料の粘度が変化すると、成形部品の品質に影響を与える可能性がある。例えば、溶融プラスチック材料の粘度が上昇すると、成形部品は、最適な部品品質を達成するために、充填後、必要な圧力が高くなるため、「パック不備」になるまたは密度が低くなる可能性がある。逆に、溶融プラスチック材料の粘度が低下すると、薄い溶融プラスチック材料が金型空洞の継ぎ目に押し込まれるため、成形部品がフラッシュを経験する可能性がある。さらに、未使用の材料と混合された再生プラスチック材料は、組み合わされたプラスチック材料のメルトフローインデックス（ＭＦＩ）に影響を与える可能性がある。２つの材料の混合に一貫性がないと、サイクル間でＭＦＩの変動が生じる可能性もある。
【０００６】
一部の従来の射出成形機は、粘度、ＭＦＩ、または他の材料特性の変化を考慮するように成形サイクルを調整しない。その結果、これらの射出成形機は低品質の部品を生産する可能性があり、品質管理検査中に除去する必要があり、それによって動作上の非効率につながる。さらに、射出成形の実行には数千とは言わないまでも数百の金型サイクルが含まれ得るので、射出成形機の環境条件は、実行の各金型サイクルにわたって一定ではない。したがって、金型サイクルが実行開始時の環境要因を考慮して適合されている場合でも、環境条件の変化により、実行の後半で実施される金型サイクル中に低品質の部品が依然として生産される可能性がある。
【０００７】
さらに、感知された溶融圧力値に依存すると、成形部品に一貫性がなくなる可能性がある。例えば、射出サイクルが固定溶融圧力設定値曲線に基づいている環境では、射出サイクルは、さまざまな特性を持つ材料（例えば、粉砕再生、生分解性、および／または再生可能な材料）を適切に射出できない可能性がある。さらに、一部のシステムでは調整可能な溶融圧力設定値曲線を使用する場合があるが、これらのシステムでは、材料仕様（例えば、粘度および部品密度）が変更された場合に、材料公差を維持できないことがよくある。その結果、これらのシステムは一貫性のない寸法の部品を生産する可能性があり、それゆえ、動作上の非効率性がさらに高まる。これらの問題は、ねじ速度によって移送位置に制御し、サイクルを射出から保持に移動する従来の射出成形プロセスでさらに現実化される。例えば、粘度が低下すると、材料の移動が容易になる。射出部分は、公称プロセスと同じ速度で材料を移動するが、同じ保持圧力に制御して、より密度の高い部品を生じさせる。逆に、粘度の高い材料は、公称速度で充填された後、密度の低い部品を生成し、潜在的にパック不備になるか、または寸法仕様から外れた部品を生成する。
【０００８】
さらに、大規模な部品生産に至る準備および検証段階の間、異なる成形システムごとに検証プロセスを行う必要がある。言い換えれば、実験と成形部品の実際の大規模生産の間の各段階で、既存のシステムは、理想的な制御値を適切に識別するために、非常に長い検証および実験段階を必要とする。このようなプロセスは、異なる数の金型空洞に対応するようにシステムを変更する場合（例えば、２つの空洞を持つ金型から４、８、１６、３２、６４、１９６の空洞に進展する場合など）にも必要である。検証と実験の各段階には最大６か月かかる可能性があるため、全体的なコストが増加し、異なるシステムで使用でき得る広範なリソースが必要になる一方で、大幅なダウンタイムを結果としてもたらす可能性がある。
【発明の概要】
【０００９】
本発明の範囲内の実施形態は、理想的な空洞圧力プロファイルを射出サイクルの動作を制御するためのシステム入力として扱うことによって、繰り返し可能に一貫した部品を生産するための射出成形機の制御に関する。パイロットツールを使用して適切な品質を有するプロトタイプを取得し、この射出サイクルからのパラメータを後続のすべての射出サイクルに使用することによって、時間のかかる再検証プロセスを実行する必要がなくなる。第１の構成と、金型空洞を形成する金型とを有し、射出サイクルに従って制御される射出成形機を制御するためのシステムおよびアプローチは、第２の構成を有する射出成形機の射出サイクルの一部のパターンを取得することと、溶融材料を金型空洞に射出するために第１の構成を有する射出成形機を動作させることとを含む。第１の構成を有する射出成形機を動作させる間、取得したパターンは、射出サイクルの一部を制御するために使用される。
【００１０】
これらの例では、パターンを取得することは、第２の構成を有する射出成形機の射出サイクルのための空洞圧力設定値曲線を取得することを含む。第１の構成を有する射出成形機は、金型サイクル中の金型空洞の空洞圧力値を測定することによって動作される。公称空洞圧力値を測定すると、取得したパターンに少なくとも部分的に依存する射出サイクルのパターン認識部分が開始される。測定された空洞圧力が射出サイクルで取得したパターンと一致するように、溶融材料に加えられる駆動力が調整される。
【００１１】
いくつかの形態では、第１の構成を有する射出成形機は、第１の数の金型空洞を含む。第２の構成を有する射出成形機は、第１の数の金型空洞とは異なる第２の数の金型空洞を含む。いくつかの形態では、第１の構成を有する射出成形機は、第１の射出成形機であり、第２の構成を有する射出成形機は、第２の別個の射出成形機である。第２の構成を有する射出成形機は、パイロット工具であってもよい。
【００１２】
射出サイクルは、第１および第２の部分を含んでもよい。射出サイクルの第１の部分は、溶融圧力プロファイルによって少なくとも部分的に制御され得、第２の部分は、取得したパターンによって少なくとも部分的に制御され得る。取得したパターンは、特定の金型に最適な圧力トレースを示している可能性がある。
【００１３】
溶融材料に圧力を加えるために、任意の数の駆動機構を使用してもよい。例えば、電気プレス、サーボ油圧プレス、完全油圧、または任意の他の種類のプレスを使用してもよい。いくつかの例では、溶融圧力制御に基づく入力は、ノズル溶融圧力変換器を介して受信されてもよい。空洞圧力測定値は、空洞内または空洞の近くに配置された空洞圧力変換器を介して取得されてもよい。
【００１４】
別の態様によれば、射出成形機は、金型空洞を形成する金型を有する第１の射出ユニットと、射出サイクルに従って射出成形機の動作を制御するように適合されたコントローラと、射出成形機およびコントローラに結合された第１および第２のセンサ（例えば、圧力センサ）とを含んでもよい。第１の射出ユニットは、溶融プラスチック材料を受け入れて金型空洞に射出し、成形部品を形成するように適合されている。射出サイクルは、第１の部分および第２の部分を含み、第１の部分の間、コントローラは、第１のセンサから取得した測定値に少なくとも部分的に基づいて射出ユニットを制御する。あるイベントが発生すると、射出サイクルの第２の部分が開始し、それにより、コントローラは、第２のセンサから取得した測定値に少なくとも部分的に基づいて射出ユニットをさらに制御する。射出サイクルの第２の部分は、第２の射出ユニットから導出された以前に取得したパターンに従って動作する。
【図面の簡単な説明】
【００１５】
本明細書は、本開示と見なされる主題を特に指摘し明確に主張する特許請求の範囲で結論付けるが、本発明は、添付の図面と併せて以下の説明からより完全に理解されると考えられる。図面のうちのいくつかは、他の要素をより明確に示す目的で選択された要素を省略することによって簡略化されたものであり得る。いくつかの図面におけるこのような要素の省略は、対応する記述において明示的に描出され得る場合を除いて、例示的な実施形態のうちのいずれにおいても必ずしも特定の要素の存否を示すものではない。図面は、必ずしも一定の縮尺ではない。例えば、図中のいくつかの要素の寸法および／または相対的な位置付けは、本発明の様々な実施形態の理解の向上を助けるために、他の要素に対して誇張されている場合がある。
【００１６】
【図１】本開示の様々な実施形態によるコントローラが結合された第１の例示的な射出成形機の概略図を示す。
【図２】本開示の様々な実施形態による射出成形サイクルの例示的な射出プロファイルを示す。
【図３】射出成形サイクルの従来技術の射出プロファイルの第１の例を示しており、それにより、溶融圧力設定値は、材料特性の変化を考慮して調整される。
【図４】射出成形サイクルの従来技術の射出プロファイルの第２の例を示す。
【図５】本開示の様々な実施形態によるパターン認識制御を利用する射出成形サイクルの第１の例示的な射出プロファイルを示す。
【図６】本開示の様々な実施形態によるパターン認識制御を利用する射出成形サイクルの第２の例示的な射出プロファイルを示す。
【図７】本開示の様々な実施形態によるコントローラが結合された第２の例示的な射出成形機の概略図を示す。
【発明を実施するための形態】
【００１７】
一般的に言えば、本開示の態様は、射出成形機を制御するためのシステムおよびアプローチを含み、動作パターン（例えば、動作曲線）が第１の射出ユニットおよび／または機械に対して取得され、任意の数の追加の射出ユニットおよび／または機械の少なくとも部分的な制御動作に使用される。これらのシステムおよびアプローチでは、他の射出ユニットおよび／または機械の射出サイクルは、所望の寸法公差内にとどまる高品質の部品を示している所望の動作パターンに（すなわち、閉ループ方式で）少なくとも部分的に依存している。したがって、システムは、システムの出力が動作パターンの出力と一致するように、必要に応じて射出プロセスの動作パラメータを調整することができる。本明細書で使用される際、「射出サイクルのパターン認識部分を開始すること」という句は、コントローラが、取得した動作パターンまたはプロファイルに依存する方式で射出成形機を動作させる動作を開始することを意味する。
【００１８】
いくつかの例では、動作パターンは、プロトタイプまたはパイロット工具が使用される開発の検証またはパイロット段階中に識別できる動作曲線の形態であってもよい。適切な動作曲線のそのような例の１つは、空洞圧力曲線である。以下でさらに詳細に説明するように、システムは、その出力が、検証および／またはプロトタイピングの目的で使用される元の機械から導出された以前に識別された空洞圧力曲線の出力と一致するように、射出成形機の動作パラメータを調整してもよい。
【００１９】
そのように構成して、第１の機械を使用して所望の物理的特性を有するプロトタイプ（例えば、構造的に健全な成形プロトタイプ）が得られると、検証または認定プロセスから導出された射出パラメータを、その後、異なる機械の射出サイクルで使用することができ、それにより、再検証および／または認定を経る必要性を解消する。したがって、これらのリソースを大量に消費するプロセスが不要になるため、再検証コストが大幅に削減され、動作効率が著しく向上する可能性がある。その結果、成形部品は、従来のアプローチと比較してはるかに迅速に市場に投入される可能性がある。
【００２０】
説明したシステムおよびアプローチでは、他の射出成形機の射出サイクルを駆動するために使用できる射出成形機から最初にパターンを取得する必要がある。したがって、パターンを取得するためのプロセスを最初に説明する。この理想的なパターンが取得されると、元の機械の金型空洞と同じまたはほぼ同じ金型空洞を有する任意の射出成形機で複製できる。
【００２１】
図面に目を向けると、射出成形プロセスが本明細書で説明される。本明細書に説明されるアプローチは、電気プレス、サーボ油圧プレス、油圧プレス、および他の既知の機械に適している可能性がある。図１に示されるように、第１の射出成形機１００は、射出ユニット１０２およびクランプシステム１０４を含む。射出ユニット１０２は、ペレット１０８の形態または任意の他の適切な形態の材料を受け入れるように適合されたホッパー１０６を含む。これらの例の多くでは、ペレット１０８は、ポリマーまたはポリマーベースの材料であり得る。他の例も可能である。図７に例示される第２の射出成形機５００は、機械１００と同様の特徴を含み得、それにより、図７に例示される要素は、４００だけ増加して、図１に例示される実施形態に示される同様の参照番号によって指定されることが理解されよう。したがって、これらの特徴については、かなり詳細には説明しない。
【００２２】
ホッパー１０６は、ペレット１０８を射出ユニット１０２の加熱されたバレル１１０に供給する。加熱されたバレル１１０に供給されると、ペレット１０８は、往復ねじ１１２によって加熱されたバレル１１０の端部まで駆動され得る。加熱されたバレル１１０の加熱および往復ねじ１１２によるペレット１０８の圧縮により、ペレット１０８を溶融させ、それにより、溶融プラスチック材料１１４を形成する。溶融プラスチック材料１１４は、典型的には、約１３０℃から約４１０℃の範囲内で選択された温度で処理される。
【００２３】
往復ねじ１１２は前方に進み、溶融プラスチック材料１１４をノズル１１６に向かって押して、プラスチック材料のショットを形成し、これは、最終的に、１つ以上のゲート１２０を介して金型１１８の金型空洞１２２に射出され、このゲートは溶融プラスチック材料１１４の流れを金型空洞１２２に導く。言い換えれば、往復ねじ１１２は、溶融プラスチック材料１１４に力を及ぼすように駆動される。他の実施形態では、ノズル１１６は、供給システム（図示せず）によって１つ以上のゲート１２０から分離され得る。金型空洞１２２は、金型１１８の第１および第２の金型側面１２５、１２７の間に形成され、第１および第２の金型側面１２５、１２７は、プレスまたはクランプユニット１２４を介して圧力下で一緒に保持される。
【００２４】
プレスまたはクランプユニット１２４は、成形プロセス中に、２つの金型半分１２５、１２７を分離するように作用する射出圧力によって及ぼされる力よりも大きい所定のクランプ力を加え、それにより、第１および第２の金型側面１２５、１２７を一緒に保持し、一方で、溶融プラスチック材料１１４は、金型空洞１２２に射出される。これらのクランプ力を支持するために、クランプシステム１０４は、タイバーなどの任意の他の数の構成要素に加えて、金型フレームおよび金型ベースを含むことができる。
【００２５】
溶融プラスチック材料１１４のショットが金型空洞１２２に射出されると、往復ねじ１１２は、前方への動きを停止する。溶融プラスチック材料１１４は、金型空洞１２２の形態を取り、プラスチック材料１１４が固化するまで金型１１８内で冷却される。固化すると、プレス１２４は、第１および第２の金型側面１１５、１１７を解放し、これらは次に互いに分離される。次に、完成した部品を金型１１８から取り出すことができる。金型１１８は、全体的な生産率を高めるために、任意の数の金型空洞１２２を含んでもよい。空洞の形状および／または設計は、互いに同一、類似、および／または異なる場合がある。例えば、組合せ金型は、互いに嵌合するか、さもなければ動作することを目的とした関連する構成部品の空洞を含み得る。
【００２６】
射出成形機１００はまた、接続１４５を介して機械１００と通信可能に結合されたコントローラ１４０を含む。接続１４５は、電子信号を送信および／または受信するように適合された任意の種類の有線および／または無線通信プロトコルであり得る。これらの例では、コントローラ１４０は、少なくとも１つのセンサ、例えば、ノズル１１６内またはその近くに配置されたセンサ１２８、および／または金型空洞１２２内またはその近くに配置されたセンサ１２９と信号通信している。いくつかの例では、センサ１２９は、射出機１００のマニホルドまたはランナーに配置されている。金型１１８および／または機械１００の任意の数の特性を感知することができる任意の数の追加のセンサを使用して、機械１００の所望の位置に配置してもよいことが理解される。さらなる例として、金型空洞１２２内の流頭進行を検出することができる任意の種類のセンサを使用してもよい。
【００２７】
コントローラ１４０は、射出成形機１００に対していくつかの位置に配置することができる。例として、コントローラ１４０は、機械１００と一体であるか、機械に取り付けられた筐体に含まれるか、機械に隣接または近接して位置付けられる別個の筐体に含まれるか、または機械から離れて位置付けられることができる。いくつかの実施形態では、コントローラ１４０は、当技術分野で知られているおよび／または一般的に使用されている有線および／または有線信号通信を介して、機械の機能を部分的または完全に制御することができる。
【００２８】
センサ１２８は、溶融プラスチック材料１１４の１つ以上の特性を（直接的または間接的に）測定するように適合された任意の種類のセンサであり得る。センサ１２８は、例えば、圧力、温度、粘度、流量、硬度、ひずみ、例えば半透明性、色、光の屈折、および／または光の反射などの光学特性などの当技術分野で知られ使用されている溶融プラスチック材料１１４の任意の特性、またはこれらを示す任意の数の追加の特性のうちの任意の１つ以上を測定してもよい。センサ１２８は、溶融プラスチック材料１１４と直接接触してもよいし、またはそうでなくてもよい。いくつかの例では、センサ１２８は、溶融プラスチック材料１１４に関連する特性だけでなく、射出成形機１００の任意の数の特性を測定するように適合され得る。一例として、センサ１２８は、ノズル１１６での溶融プラスチック材料１１４の溶融圧力を測定する圧力変換器であってもよい。
【００２９】
センサ１２８は、コントローラ１４０の入力に送信される信号を生成する。センサ１２８がノズル１１６内に配置されていない場合、コントローラ１４０は、ノズル１１６内の測定された特性の値を推定または計算するための適切な補正係数を提供するために、論理、コマンド、および／または実行可能なプログラム命令を用いて設定、構成、および／またはプログラムされ得る。
【００３０】
同様に、センサ１２９は、溶融プラスチック材料１１４の１つ以上の特性を（直接的または間接的のいずれかで）測定して、金型空洞１２２内のその存在および／または状態を検出するように適合された任意の種類のセンサであり得る。様々な実施形態では、センサ１２９は、金型空洞１２２内の充填終了位置またはその近くに配置することができる。センサ１２９は、例えば、圧力、温度、粘度、流量、硬度、ひずみ、例えば半透明性、色、光の屈折、および／または光の反射などの光学特性などの当技術分野で知られている溶融プラスチック材料１１４および／または金型空洞１２２の任意の数の特性、またはこれらを示す任意の数の追加の特性のうちの任意の１つ以上を測定しもよい。センサ１２９は、溶融プラスチック材料１１４と直接接触してもよいし、またはそうでなくてもよい。一例として、センサ１２９は、空洞１２２内の溶融プラスチック材料１１４の空洞圧力を測定する圧力変換器であってもよい。センサ１２９は、コントローラ１４０の入力に送信される信号を生成する。任意の数の追加のセンサを使用して、動作パラメータを感知および／または測定してもよい。
【００３１】
コントローラ１４０はまた、ねじ制御１２６と信号通信している。いくつかの実施形態では、コントローラ１４０は、コントローラ１４０の出力からねじ制御１２６に送信される信号を生成する。コントローラ１４０は、例えば、（ねじ制御１２６を制御して、ねじ１１２を、ノズル１１６内の溶融プラスチック材料１１４に対応する所望の値を維持する速度で前進させることによって）射出圧力、バレル温度、クランプの開速度および／または閉速度、冷却時間、射出前進時間、全体のサイクル時間、圧力設定値、取り出し時間、ねじ回復速度、ならびにねじ速度などの機械の任意の数の特性を制御することができる。他の例も可能である。
【００３２】
コントローラ１４０からの１つ以上の信号は、一般に、材料粘度、金型温度、溶融温度の変動、および充填速度に影響を与える他の変動がコントローラ１４０によって考慮されるように、成形プロセスの動作を制御するために使用され得る。調整がリアルタイムまたはほぼリアルタイムで（すなわち、センサ１２８、１２９の感知値とプロセスに加えられる変更との間の最小の遅延で）コントローラ１４０によって行われてもよく、または補正が後続のサイクルで行われ得る。さらに、任意の数の個々のサイクルから導出されるいくつかの信号を、成形プロセスを調整するための基礎として使用してもよい。コントローラ１４０は、当技術分野で知られている任意の種類の信号通信アプローチを介して、センサ１２８、１２９、ねじ制御１２６、および／または機械１００内の任意の他の構成要素に接続してもよい。
【００３３】
コントローラ１４０は、その動作を制御するように適合されたソフトウェア１４１、任意の数のハードウェア要素１４２（例えば、非一時的メモリモジュールおよび／またはプロセッサなど）、任意の数の入力１４３、任意の数の出力１４４、および任意の数の接続１４５を含む。ソフトウェア１４１は、非一時的なコンピュータ可読媒体の形態でコントローラ１４０の非一時的なメモリモジュールに直接ロードされ得るか、あるいは代わりにコントローラ１４０から離れて配置され、任意の数の制御アプローチを介してコントローラ１４０と通信し得る。ソフトウェア１４１は、金型サイクルに従って射出成形機１００を制御するための論理および／またはコマンドを含み得る論理、コマンド、および／または実行可能プログラム命令を含む。ソフトウェア１４１は、オペレーティングシステム、動作環境、アプリケーション環境、および／またはユーザインターフェースを含んでもよいし、または含まなくてもよい。
【００３４】
ハードウェア１４２は、入力１４３を使用して、コントローラ１４０によって制御されている射出成形機から信号、データ、および情報を受信する。ハードウェア１４２は、出力１４４を使用して、信号、データ、および／または他の情報を射出成形機に送信する。接続１４５は、信号、データ、および情報がコントローラ１４０とその射出成形機１００との間で送信され得る経路を表す。様々な実施形態では、この経路は、本明細書に記載されるかまたは当技術分野で知られている任意の方法で構成された、直接または間接の物理的接続に類似して機能する物理的接続または非物理的通信リンクであり得る。様々な実施形態では、コントローラ１４０は、当技術分野で知られている任意の追加または代替の方法で構成することができる。
【００３５】
接続１４５は、信号、データ、および情報がコントローラ１４０と射出成形機１００との間で送信され得る経路を表す。様々な実施形態では、これらの経路は、本明細書に記載されるかまたは当技術分野で知られている任意の方法で構成された、直接または間接の物理的接続のいずれかと同様に機能する物理的接続または非物理的通信リンクであり得る。様々な実施形態では、コントローラ１４０は、当技術分野で知られている任意の追加または代替の方法で構成することができる。
【００３６】
いくつかの例では、コントローラ１４０は、第１および第２のコントローラの形態であり得、これらのそれぞれは、コントローラ１４０のものと同様の特徴を有する。これらの例では、第１のコントローラは、射出サイクルの第１の部分を制御することができ、第２のコントローラは、射出サイクルの第２の部分を制御することができる。
【００３７】
図２に示されるように、従来の射出成形サイクルの例示的な射出プロファイル２００は、いくつかの別個の段階を含む。図示の例は、実質的に一定の圧力プロファイルを示しているが、他の圧力プロファイル（例えば、速度制御された高圧射出成形プロセス）を、本明細書に記載のアプローチと組み合わせて使用してもよい。図示の例では、センサ１２８、１２９は、任意の種類の圧力センサ（例えば、ゲージ圧力センサ、差圧センサ、ピエゾ抵抗ひずみゲージなどの力コレクタ型センサ、容量センサ、共振センサ、熱センサ、および／または電磁センサ）であり、ノズル１１６におよび金型１１８の内側、内側近く、または外壁上の位置に配置される。具体的には、センサ１２８は、射出機の溶融圧力を感知するノズル変換器であり得、センサ１２９は、射出機の空洞圧力を感知する空洞圧力変換器であり得る。
【００３８】
図示の例では、理想的な溶融圧力プロファイルまたは設定値２１０の形態の動作パターンが識別され、射出成形機１００の動作を制御するための入力として使用される。言い換えれば、この例では、溶融圧力設定値２１０は、機械１００がどのように動作すべきかを決定する入力として使用され、一方で、センサ１２８は、コントローラ１４０にフィードバックを提供して、溶融圧力設定値２１０に一致するように射出サイクルを調整すべきかどうかを決定する。図２に示されるように、溶融圧力曲線２１２は、センサ１２８によって測定された溶融圧力を反映している。したがって、コントローラ１４０は、溶融圧力曲線２１２を溶融圧力設定値２１０に維持するために、ねじ１１２に加えられる圧力を調整することができる。使用される機械１００の種類に応じて、異なるバルブおよび／またはモータを使用して、ねじ１１２の背面に加えられる圧力を維持および／または調整することができる。例えば、サーボモータを使用してねじドライブを回転させ、ねじ１１２の動きを制御してもよいし、フローコントロールバルブを使用して、ねじ１１２に作用する油圧流体の量を制御してもよいし、または比例バルブを使用してもよい。
【００３９】
第１の段階２０２の間、溶融プラスチック材料１１４は、最初に金型空洞１２２を充填する。この段階２０２において、コントローラ１４０は、溶融圧力を実質的に一定の圧力値（例えば、約１０，０００ｐｓｉ）に増加させ、次いで、溶融プラスチック材料１１４が金型空洞１２２を充填する間、溶融圧力をこの圧力値またはその近くに保持させる。次に、溶融プラスチック材料１１４は、金型空洞１２２内のすべての間隙が確実に埋め戻されるように溶融圧力が維持されるパック／保持段階２０４に入る。これらのシステムでは、金型空洞１２２は、流路の端部からゲート１２０に向かって戻るように充填される。その結果、固化の様々な段階にある溶融プラスチック材料１１４がそれ自体の上にパックされる。これらのアプローチでは、測定された空洞圧力の量に基づいて、溶融圧力が上昇または低下する。変化の程度は、以下で説明するように、空洞圧力の量と乗数に依存し、これらは、プロセス検証中に決定され、必要に応じて調整される。
【００４０】
このプロセス中、金型空洞１２２が溶融プラスチック材料１１４で実質的および／または完全に充填されると、金型空洞１２２内のセンサ１２９によって測定された圧力は、最終的に非ゼロの値になる。射出サイクルが非ゼロの空洞圧力に達するのにかかる時間は、「ステップ時間」として定義することができ、これは、金型空洞１２２を充填するのに必要な時間（例えば、「充填時間」）にプロセス係数調整（「ＰＦＡ」）値を足したものに等しい。ＰＦＡは、金型で測定された空洞圧力の量の乗数である。空洞圧力が測定されると、プロセスの検証中に決定された乗数（ＰＦＡ）に基づいて、溶融圧力設定値の調整が行われる。この乗数は、高品質の部品を製造するために必要に応じて調整することができる。図２の図示の例では、全体のステップ時間は、段階２０２の持続時間に対応し、したがって、固定値を維持することを意図している。ただし、後述するように、実際には、各射出サイクルの実際のステップ時間は、材料の特性によって変化する場合がある。
【００４１】
センサ１２９によって感知された空洞圧力を示す図２の曲線２２０によって例示されるように、射出サイクル中および空洞が実質的に完全に充填されると、空洞圧力は急速に最大値まで増加し、その後、射出サイクルが完了したときの最小値に戻るまで減少する。従来の射出システムでは、空洞圧力曲線２２０は、射出サイクルの品質を表すデータを提供するために使用することができる射出システムの単なる出力である。前述のように、検証段階では、理想的および／または望ましい特性を備えた成形部品が取得されるまで、多数の様々な射出サイクルが実行される。この理想的な射出サイクルは、充填時間、充填圧力、および材料特性に少なくとも部分的に基づく対応する理想的なパターンを出力として生成する。したがって、適切な物理的特性を有する部品を生産する適切な射出サイクルが実行されたと判断されると、図示の空洞圧力曲線２２０などの結果として生じる空洞圧力曲線は、後続の射出成形プロセスで使用される射出サイクル中に取得される理想的なパターンの一例であり得る。
【００４２】
図２に示されている例示的な射出プロファイル２００は、材料特性の変化を考慮していない。むしろ、射出プロファイル２００は、以前に識別された溶融圧力制御設定値２１０に一致するようにシステムを制御することによって駆動される。したがって、材料および／または環境への変化が常に発生する場合、コントローラ１４０は、（例えば、指定されたねじ速度に固執するのとは対照的に）固定の溶融圧力設定値２１０に固執する手法で射出サイクルを制御し続ける。言い換えれば、コントローラ１４０は、溶融プラスチック材料１１４が多かれ少なかれ粘性であるか、および／または他の様々な材料特性を有するかどうかに関係なく、ねじ１１２に同じ圧力をかけ続ける。したがって、ねじ速度およびステップ時間は、システム１００の出力となる。溶融プラスチック材料１１４がこれらの後続の射出サイクルで異なる材料特性を有する場合、射出プロファイルは変化するステップ時間をもたらし、金型空洞は過充填または過少充填される。言い換えれば、射出プロファイル２００は、実際のステップ時間が以前に識別されたステップ時間と一致することを意図しているが、サイクルの特定の充填部分の実際のステップ時間は、以前に観察されたステップ時間値よりも短いまたは長い場合がある。これらの条件のいずれかは、成形された部品の品質に悪影響を及ぼす。これらの条件のいずれかは、成形された部品の品質に悪影響を及ぼす。充填段階２０２は、変化する材料溶融特性を補償しない可能性があるが、この補償は、空洞圧力制御を使用して、プロセスのパック／保持２０４段階で実行される。例示のパック／保持段階に見られるように、ノズル感知溶融圧力２１２はシステムの出力になり、一方、空洞感知溶融圧力２２０は、設定値に制御される。
【００４３】
システム内の様々な材料および／または環境変化の存在を克服するために、射出サイクルを調整する射出プロファイルが以前に利用されており、その例が図３および４の射出プロファイル３００に示されている。射出プロファイル３００において、溶融圧力設定値３１０は、全体的なステップ時間を一定のままにさせる（すなわち、元の／理想的な射出サイクルから取得されるステップ時間に等しいままにさせる）ように、必要に応じて調整可能である。全体的なステップ時間が一定のままであることに加えて、これらの例では、充填時間とＰＦＡ時間との間の比率も一定であり、それにより、粘度がシフトした際に、金型空洞１２２全体が常に充填され、それによってフラッシュを回避することを確実にする。これらの例では、溶融プラスチック材料１１４上で一定の剪断速度が維持される。
【００４４】
図３および図４に示されるように、射出プロファイル３００の間、コントローラ１４０は、同じステップ時間または充填速度を維持するために、センサ１２８を介して溶融圧力３１２を監視する。したがって、粘度がシフトすると、溶融圧力制御は、溶融圧力設定値３１０を補償および調整する。例えば、図３に示されるように、溶融プラスチック材料１１４の粘度が増加すると、溶融圧力プロファイル３１０は、溶融プラスチック材料１１４上で同じ量の剪断を維持するために、より高い溶融圧力で動作する代替の溶融圧力プロファイル３１０ａにシフトする。したがって、溶融圧力曲線３１２ａによって示される感知された溶融圧力は、元の溶融圧力曲線３１２よりも高い。同様に、図４に示されるように、溶融プラスチック材料１１４の粘度が低下すると、溶融圧力プロファイル３１０は、溶融プラスチック材料１１４上で同じ量の剪断を維持するために、より低い溶融圧力で動作する代替の溶融圧力プロファイル３１０ｂにシフトする。したがって、溶融圧力曲線３１２ｂによって示される感知された溶融圧力は、元の溶融圧力曲線３１２よりも低い。自動粘度調整のアプローチの追加の詳細は、２０１８年５月２日に出願された米国仮出願第ＵＳ６２／６６５，８６６号、および２０１７年１０月５日に出願された米国仮出願第ＵＳ６２／５６８，５４８号に記載されており、その全体は参照により本明細書に組み込まれる。
【００４５】
射出プロファイル３００は、環境の変化および／または溶融プラスチック材料１１４の特性を考慮して調整を行うことを可能にするが、溶融圧力は、依然として射出サイクルを駆動するための決定要因として使用される。このプロファイル３００では、空洞圧力が測定された後、溶融圧力はＰＦＡに応じて増加または減少する可能性があるが、概ね平らになり、一定のままである。それが横ばいになる圧力は、ピーク空洞圧力のみならずＰＦＡの乗数によって決定される。図３および４に示されるように、代替の溶融圧力プロファイル３１０ａ、３１０ｂを使用する場合、結果として生じるパターン（すなわち、それぞれ空洞圧力曲線３２０ａ、３２０ｂ）は、単に射出プロファイル３００の出力である。空洞圧力曲線３２０ａ、３２０ｂのそれぞれは、以前に決定された理想的な空洞圧力曲線３２０から、曲線３２０ａ、３０ｂの下のピーク空洞圧力値および面積に有意な変動を有する。空洞圧力曲線３２０ａ、３２０ｂの形状は、溶融圧力制御に変更が加えられたときに同一ではないため、結果として生じる部品は、すべての寸法公差を保持しない可能性があり、したがって、望ましくない構造的および／または他の特性を有する可能性がある。曲線間のわずかな不一致は重要ではないように見えるかもしれないが、結果として生じる部品の品質は大幅に劣り得、美的および／または構造上の欠陥が含まれる可能性がある。したがって、射出プロファイル３００は、プロセス全体を変更せずに（すなわち、時間を公称の測定された空洞圧力に保つように溶融圧力を調整することによって）調整を可能にするが、このプロセスは、通常、限界寸法を有する部品には使用されない。
【００４６】
したがって、図５および６に示されるように、本開示のシステムおよびアプローチは、射出プロファイル４００への入力としてセンサ１２９からの測定値を使用する。前述のように、センサ１２９は、空洞圧力の変化を感知する変換器であり得、その後、コントローラ１４０が空洞圧力値を識別するために解釈する較正された電圧信号に変換される電荷を送信し得る。
【００４７】
また、前述のように、検証段階では、適切な品質の成形部品を生成する理想的な射出パターンを決定することで、理想的なパターンを取得できる。パターンの一例は、理想的な空洞圧力プロファイルまたは設定値４２０であり得る。射出プロファイル４００では、射出成形機１００が前と同じように動作して、溶融プラスチック材料１１４を金型空洞１２２に射出する。射出サイクルは、公称空洞圧力の検出などのイベントが発生するまで続く。例えば、射出段階の間、空洞圧力は、公称空洞圧力値（例えば、約５０ｐｓｉ）が測定されるまで継続的に観察される。この公称値は、最適な射出サイクルの設定中に決定され、好ましくは、空洞圧力の実際の増加の指標となるのにかなり十分な値であり、気泡または部品内の他の不一致ではない。
【００４８】
公称空洞圧力値を測定すると、コントローラ１４０は、射出サイクルのパターン認識部分（例えば、空洞圧力制御部分など）を開始する。このパターン認識部分では、ねじ１１２によって加えられる駆動力は、測定された空洞圧力４２２が以前に取得した理想的なパターン（例えば、理想的な空洞圧力プロファイル４２０）と一致するように調整される。言い換えれば、センサ１２９によって測定された空洞圧力は、射出プロファイル４００への入力となり、コントローラ１４０は、測定された空洞圧力４２２が空洞圧力プロファイル４２０と一致するように、ねじ１１２に加えられる圧力を調整する。測定された空洞圧力４２２が以前に識別された理想的な空洞圧力プロファイル４２０と一致することを確実にすることにより、機械１００は、同一の物理的および構造的特性を有する同じ部品を一貫して製造する。
【００４９】
言い換えれば、溶融プラスチック材料１１４の粘度、溶融密度、および／または他の特性がシフトするにつれて、同じ成形部品を維持するために、充填段階４０２中および後の両方で射出プロファイル４００の補償が必要である。第１段階では、溶融圧力制御プロファイルまたは設定値４１０を使用して、溶融プラスチック材料１１４に最適な量の圧力を加え、これは、ノズル１１６またはその近くに配置されたセンサ１２８を介して監視および感知される。保持段階４０４では、空洞圧力制御プロファイル４２０を使用して、金型内の材料に最適な量の圧力を加え、これは、金型空洞１２２またはその近くに配置されたセンサ１２９を介して監視および感知される。
【００５０】
図６に示されるように、溶融プラスチック材料１１４に対するこれらの変動が発生すると、コントローラ１４０は、溶融圧力および空洞圧力プロファイルを維持するために必要とされるリアルタイムまたはほぼリアルタイムの調整を計算する。充填段階４０２の間、コントローラ１４０が溶融プラスチック材料１１４の特性の変化を認識すると、溶融圧力設定値４１０は、サイクルが理想的な射出プロファイルと同時に公称空洞圧力に達することを保証するために必要に応じて調整された溶融圧力設定値（点線４１０ａおよび４１０ｂによって示される）に調整される。同様に、保持段階４０４において、ねじ１１２に加えられる力（および／またはその動き）は、空洞圧力プロファイル（点線４２０ａ、４２０ｂによって示される）の偏差に応答して、リアルタイムまたはほぼリアルタイムで調整され、感知された圧力曲線４２２が空洞圧力設定値４２０と一致することを確実にする。
【００５１】
いくつかの例では、前述のように、コントローラ１４０は、測定された空洞圧力が、以前に識別された理想的な空洞圧力プロファイル４２０と一致することを確実にするが、他の例では、コントローラは、測定された空洞圧力が、以前に識別された理想的な空洞圧力プロファイル４２０の指定された範囲（例えば、１つの標準偏差）内にあることを確実にし得る。言い換えれば、射出プロファイル４００は、特定の範囲内でループを閉じる。例えば、コントローラ１４０は、以前に識別された理想的な空洞圧力プロファイル４２０から取られたピーク空洞圧力値と比較した場合、許容可能なピーク空洞圧力値の上限および／または下限を設定することができる。追加的または別個に、コントローラ１４０は、以前に識別された理想的な空洞圧力プロファイル４２０から導出された整数値と比較した場合、許容可能な積分（すなわち、空洞圧力曲線の下の領域）値の上限および／または下限を設定することができる。一例では、測定値（すなわち、ピーク空洞圧力および整数値）の上限および下限は、以前に識別された理想的な空洞圧力プロファイル４２０から導出された値の約５％以内であり得る。適切な限界の他の例が可能である。
【００５２】
射出プロファイル４００では、センサ１２９が公称空洞圧力値を測定する前に、任意の種類の制御プロファイルを使用できることが理解される。例えば、射出プロファイル４００の第１段階４０２の間、コントローラは、以下と同様の手法で射出プロファイル４００を制御することができる。すなわち、ａ）射出プロファイル２００の第１段階２０２（すなわち、固定溶融圧力設定値の使用）、ｂ）射出プロファイル３００の第１段階３０２（すなわち、可変溶融圧力設定値の使用）、および／またはｃ）任意の他の制御プロファイルの使用。しかしながら、図５および図６の図示の例では、可変溶融圧力制御プロファイルが使用されている。
【００５３】
前述のように、射出プロファイル４００において、コントローラ１４０は、溶融圧力制御プロファイルから空洞圧力制御プロファイル４２０に自動的に切り替わる。この移行は、システムによって感知されている１つ以上の信号の突然の変化または特定の値などの任意の数の異なるイベントの発生に基づいて発生する可能性があることが理解される。さらに、いくつかの例では、コントローラ１４０は、空洞圧力プロファイル４２０に切り替えるための適切な条件を自動的に識別するための機械学習技術を組み込むことができる。
【００５４】
これらの例のいくつかでは、コントローラ１４０は、２つの別々のまたは別個のコントローラの形態であり得、それにより、第１のコントローラは、溶融圧力プロファイルの制御に責任があり、第２のコントローラは、空洞圧力プロファイル４２０の制御に責任がある。これらの例では、第１のコントローラは、ねじ制御器１２６によって受信される出力電圧を生成することによって、溶融圧力プロファイルを制御する。同時に、第２のコントローラは、第１のコントローラによって生成された出力電圧をミラーリングすることができるが、この出力電圧は、ねじ制御器１２６に送信されない。射出サイクルのパターン認識部分の動作が開始されると、「切り替え」が行われ、それによって、第２のコントローラの出力電圧がねじ制御器１２６に送信され、空洞圧力プロファイル４２０が、射出サイクルの動作を少なくとも部分的に制御するために使用される。したがって、溶融圧力制御から空洞圧力制御への移行はシームレスであり、ねじ制御器１２６は、中断されない制御信号を受信する。
【００５５】
図７を参照すると、射出プロファイル４００の全部または一部は、第２の射出機５００の動作を制御するために、コントローラ５４０によって複製され得る。具体的には、理想的な空洞圧力プロファイル４２０は、イベントが発生すると（例えば、センサ５２９による公称空洞圧力値を検出すると）、コントローラが射出サイクルのパターン認識部分（例えば、空洞圧力制御部分など）を開始するように実施され得る。
【００５６】
機械１００と同様に、このパターン認識部分において、ねじ５１２によって加えられる駆動力は、測定された空洞圧力（４２２、図５）が以前に取得した理想的なパターン（例えば、図５の理想的な空洞圧力プロファイル４２０）と一致するように調整される。本明細書で使用される場合、「理想的なパターン」とは、かなり欠陥のない部品を確実にもたらす、取得可能で望ましいパターンを意味する。言い換えれば、センサ５２９によって測定された空洞圧力は、射出プロファイル４００への入力となり、コントローラ５４０は、測定された空洞圧力４２２が空洞圧力プロファイル４２０と一致するように、ねじ５１２に加えられる圧力を調整する。測定された空洞圧力４２２が、第１の射出成形機１００から導出された以前に識別された理想的な空洞圧力プロファイル４２０と一致することを確実にすることにより、第２の射出成形機５００は、同一の物理的および構造的特性を有する同じ部品を一貫して製造する。
【００５７】
第２の射出成形機５００は、第１の射出成形機１００とは別個の任意の数の特性を有することができる。例えば、第２の射出成形機は、より多くの金型空洞５２２（例えば、生産準備が整ったデバイスの１９６個の空洞）を有し得、したがって、成形部品の商業生産中に使用することができる。その他の例には、機械のサイズ／トン数、機械制御の種類（電気、油圧など）、機械の年数、機械の場所（複数可）の環境条件、バレルサイズ、および／またはねじサイズ／種類が含まれるが、これらに限定されない。
【００５８】
いくつかの例では、射出プロファイル４００は、いくつかの派生的な構成を有し得る特定の樹脂構成を有する部品のために開発されてもよい。例えば、射出プロファイル４００は、１０個の異なる下位分類を有するポリプロピレン（ＰＰ）材料について導出されてもよい。射出プロファイル４００は、これらの下位分類のいずれかのために使用してもよく、それにより、供給者から購入できる利用可能な材料の総数を増やして、ユーザの供給購買力を向上させる。
【００５９】
いくつかの例では、センサ１２９は、金型空洞１２２から離れて配置されてもよく、それでもなおそれと通信することができる。例えば、２０１６年７月２２日に出願された米国出願第ＵＳ１５，２１６，７６２号（その全体が参照により本明細書に組み込まれる）は、仮想空洞センサとして１つ以上の外部センサの使用を説明している。そのようなセンサまたはセンサ構成は、本明細書に記載のセンサ１２９と交換可能に使用することができる。
【００６０】
上記のアプローチは、以前に識別されたパターンが射出サイクルの少なくとも一部を駆動するために使用される任意の射出プロセスと組み合わせて使用してもよい。これらのアプローチは、例えばシリコーンおよび金属部品などの様々な材料から構築された任意の数の異なる成形部品の形成に使用してもよい。一例として、従来の（すなわち、高圧プロセス）射出成形システムでは、コントローラは、同様の手法で理想的なパターン（例えば、空洞圧力曲線）に従って動作するように設定され得る。追加的または代替的に、制御ゲートセンサが使用される例では、射出プロセスの傾斜部分も制御され得る。
【００６１】
当業者は、本発明の範囲から逸脱することなく、上述の実施形態に関して多種多様な修正、変更、および組み合わせを行うことができ、そのような修正、変更、および組み合わせが本発明の概念の範囲内にあると見るべきであることを認識するであろう。
【００６２】
また、本特許出願の最後にある特許請求項は、請求項（複数可）において明示的に列挙される「〜するための手段」または「〜するためのステップ」という表現などの、伝統的なミーンズ・プラス・ファンクション表現が明示的に列挙されていない限り、米国特許法第１１２（ｆ）に基づいて解釈されることを意図したものではない。本明細書に記載のシステムおよび方法は、コンピュータ機能の改善、および従来のコンピュータの機能の改善に関する。
【図１】
2021527584.tif 000003
【図２】
2021527584.tif 000004
【図３】
2021527584.tif 000005
【図４】
2021527584.tif 000006
【図５】
2021527584.tif 000007
【図６】
2021527584.tif 000008
【図７】
2021527584.tif 000009
【国際調査報告】
2021527584.tif 000010
2021527584.tif 000011
2021527584.tif 000012